(57)【要約】      （修正有）【課題】適度な接触圧で体を洗浄すると共に、体全体を洗浄し易い洗浄用具を提供する。【解決手段】洗浄用具は、筒状に形成された本体部２と、本体部２の長手方向の一方端に形成された開口部３Ｌとを備えている。本体部２は、長手方向に折り畳まれて開口部３Ｌから裏返されると、手を挿入可能な手袋状に形成される。【選択図】図３
0003187324.tif 000002
【実用新案登録請求の範囲】
【請求項１】
体を洗浄する洗浄用具であって、
筒状に形成された本体部と、該本体部の長手方向の両端のうち少なくとも一方端に形成された開口部と、を備え、
前記長手方向に折り畳まれた前記本体部が前記開口部から前記本体部の内周面と外周面とを裏返されて、前記本体部が手を挿入可能な手袋状に形成されることを特徴とする洗浄用具。
【考案の詳細な説明】
【技術分野】
【０００１】
本発明は、体を洗浄する洗浄用具に関する。
【背景技術】
【０００２】
従来より、入浴時に顔や体を洗浄する際に用いられる洗浄用具として、帯状に形成された洗浄タオルが知られている。入浴者は、洗浄タオルを折り畳み、固形石鹸や液体石鹸をよく泡立てて、折り畳まれた洗浄用具を顔や体に押し当てながら擦ることにより、体を洗浄する。
【考案の概要】
【考案が解決しようとする課題】
【０００３】
しかしながら、上述したような洗浄タオルでは、体を洗浄する間、洗浄タオルを体に押し当て続ける必要があるため、体力が限られた高齢者は、押し当てるだけの体力が続かず、体全体を洗浄しきれなかったり、必要以上に体に洗浄タオルを押し当てることに起因する過度の接触圧で肌を傷つけてしまう虞があった。
【０００４】
また、洗浄タオルを体表面で擦る勢いで、体を洗浄するための泡が周囲に飛散しがちという問題があった。
【０００５】
そこで、適度な接触圧で体を洗浄すると共に、体全体を容易に洗浄するために解決すべき技術的課題が生じてくるのであり、本発明は、この課題を解決することを目的とする。
【課題を解決するための手段】
【０００６】
本発明は、上記目的を達成するために提案するものであり、請求項１記載の発明は、体を洗浄する洗浄用具であって、筒状に形成された本体部と、該本体部の長手方向の両端のうち少なくとも一方端に形成された開口部と、を備え、前記長手方向に折り畳まれた前記本体部が前記開口部から前記本体部の内周面と外周面とを裏返されて、前記本体部が、手を挿入可能な手袋状に形成されることを特徴とする洗浄用具を提供する。
【０００７】
この構成によれば、筒状に形成された本体部を折り畳んだ状態で開口部から裏返すことにより、本体部が手袋状に形成されるため、入浴者が手袋状の本体部に開口部から手を挿入して体表面を撫でるように過度の力を要することなく洗浄可能なため、体を傷つけることなく体全体を容易に洗浄できると共に、泡の飛散を抑制することができる。
【０００８】
さらに、袋状に形成された本体部を解くことにより、本体部を帯状に戻して、背中等の手が直接届かない部位を洗浄することができる。
【考案の効果】
【０００９】
本発明に係る洗浄用具は、体を傷つけることなく体全体を容易に洗浄できると共に、泡の飛散を抑制することができる。さらに、袋状に形成された本体部を解いて帯状に戻すだけで、背中等の手が直接届かない部位を洗浄することができる。
【図面の簡単な説明】
【００１０】
【図１】本発明の一実施例に係る洗浄用具を示す模式図。
【図２】本体部を折り畳む手順を示す図。
【図３】手袋状に形成された本体部を示す模式図。
【考案を実施するための形態】
【００１１】
本発明に係る洗浄用具は、適度な接触圧で体を洗浄すると共に、体全体を容易に洗浄するという目的を達成するために、体を洗浄する洗浄用具であって、筒状に形成された本体部と、本体部の長手方向の両端のうち少なくとも一方端に形成された開口部と、を備え、長手方向に折り畳まれた本体部が開口部から本体部の内周面と外周面とを裏返されて、本体部が、手を挿入可能な手袋状に形成されることにより実現した。
【実施例】
【００１２】
以下、本発明の一実施例に係る洗浄用具１の構成について、図面に基づいて説明する。
【００１３】
図１は洗面用具１を示す図であり、洗浄用具１は、筒状かつ長手方向Ｌに延びた帯状の本体部２と、本体部２の両端に形成された開口部３Ｌ、３Ｒとを備えている。
【００１４】
本体部２は、長手方向Ｌの長さが約８００ｍｍに設定されている。本体部２は、開口部３Ｌが形成された端部から長手方向Ｌに本体部２の長さの略１／４、すなわち、約２００ｍｍに亘って後述する本体部収納部分２１と、開口部３Ｒが形成された端部から長手方向Ｌに本体部２の長さの略３／４、すなわち、約６００ｍｍに亘って後述する被収納部分２２を備えている。
【００１５】
本体部２の具体的な生地については、ガーゼ、パイル地、無撚糸地その他のタオル等に用いられる公知の生地の何れであっても構わない。
【００１６】
本体部２には、長手方向Ｌの両端から約２００ｍｍに相当する部分に折り目の印Ａが夫々設けられている。折り目の印Ａは、縫合されたミシン目であっても、本体部２にプリントされたマークであっても構わない。
【００１７】
次に、本体部２を手袋状に形成する手順について、図面に基づいて説明する。
【００１８】
まず、図２（ａ）乃至（ｃ）に示すように、本体部２を中央付近で略半分に折り畳み、この略半分に折り畳んだ本体部２を折り目の印Ａで更に略半分、すなわち、広げた状態の本体部２の略１／４の長さに折り畳む。
【００１９】
次に、図２（ｄ）乃至（ｆ）に示すように、略１／４に折り畳まれた本体部２は、開口部３Ｌから本体部収納部分２１の内周面２１ａが表面に露出するように、内周面２１ａと外周面２１ｂとが裏返されると、図２（ｇ）に示すように、被収納部分２２が、本体部収納部分２１内に収納される。裏返された本体部２は、開口部３Ｌから手を挿入可能な手袋状に形成される。
【００２０】
図３に示すように、本体部収納部分２１内で３重に折り畳まれた被収納部分２２は、弾力を有しており、被収納部分２２を体表面に押し付けるように洗浄することで、体表面を傷つけることなく洗浄することができる。
【００２１】
上述した本発明に係る洗浄用具１は、筒状に形成された本体部２を折り畳んだ状態で開口部３Ｌから裏返すことにより、本体部２が手袋状に形成されるため、入浴者が手袋状の本体部２に開口部３Ｌから手を挿入して体表面を撫でるように過度の力を要することなく洗浄可能なため、体を傷つけることなく体全体を容易に洗浄できると共に、泡の飛散を抑制することができる。
【００２２】
また、手袋状に形成された本体部２を解くことにより、本体部２を帯状に戻して、背中等の手が直接届かない部位を洗浄することができる。
【００２３】
本実施例では、本体部２を略４等分に折り畳んだ状態で裏返したものを例示しているが、本体部２の折り畳み方はこれに限定されるものではなく、例えば、本体部２を略２等分や略３等分に折り返しても構わない。
【００２４】
なお、本発明は、本発明の精神を逸脱しない限り種々の改変をなすことができ、そして、本発明が該改変されたものにも及ぶことは当然である。
【符号の説明】
【００２５】
１  ・・・  洗浄用具
２  ・・・  本体部
３Ｌ、３Ｒ  ・・・  開口部
Ｌ  ・・・  長手方向
【図１】
0003187324.tif 000003
【図２】
0003187324.tif 000004
【図３】
0003187324.tif 000005